(57)【要約】【課題】放送から種々のデータやソフトウェアをダウンロードするユーザーの利便性を向上する。【解決手段】ディジタル放送受信装置１００は、操作部２、受信部３、制御部４、メモリ部５、出力部６、送受信部７を具備する。制御部４は、受信部３により受信された放送番組のデータをメモリ部５、出力部６に供給する。メモリ部５は内部記憶装置を内蔵するか外部記憶装置が接続され、出力部６には映像表示装置、音声出力装置が接続され、送受信部７は放送と別の通信の通信回線と接続される。視聴では制御部４は放送番組のデータを出力部６に供給して、ダウンロードでは放送番組のデータをメモリ部５にダウンロードする。制御部４は遅くともダウンロード完了以前にデータによる別の通信の必要要否を放送付加情報から判断して、要の場合にはデータの記憶装置への格納動作の継続と格納動作の中止とを選択して実行する。【選択図】図１
2010028257.tif 000002
【特許請求の範囲】
【請求項１】
操作部と、受信部と、制御部と、メモリ部と、出力部と、送受信部とを具備して、
前記操作部は、ユーザーの指示を受信することが可能であり、
前記受信部は、放送局から送信される放送番組を受信することが可能であり、
前記制御部は、前記操作部によって受信される前記ユーザーの前記指示に従って前記受信部によって受信された前記放送番組のデータを前記メモリ部および前記出力部に供給することが可能であり、
前記メモリ部は、データ保存のために内部記憶装置を内蔵するか、または外部記憶装置が接続可能にされたものであり、
前記出力部は、少なくとも映像表示装置と音声出力装置とが接続可能にされたものであり、
前記送受信部は、前記受信部で受信される放送とは別の通信の通信回線と接続可能にされたものであり、
前記操作部によって受信された前記ユーザーの前記指示が前記受信部により受信される前記放送番組の視聴である場合には、当該視聴の間に前記制御部は前記放送番組のデータを前記出力部に接続される前記映像表示装置と前記音声出力装置とに供給するものであり、
前記操作部によって受信された前記ユーザーの前記指示が前記受信部により受信される前記放送番組のダウンロードである場合には、当該ダウンロードの間に前記制御部は前記放送番組のダウンロード・データを前記メモリ部の前記内部記憶装置と前記外部記憶装置とのいずれか一方の記憶装置に格納するものであり、
前記制御部は、遅くとも前記放送番組の前記ダウンロードの完了の以前に前記放送番組の前記ダウンロード・データが前記別の通信を必要とするか否かを前記放送番組の放送付加情報から判断可能とされたものであり、
前記放送番組の前記ダウンロード・データが前記別の通信を必要とする場合には、前記操作部による前記ユーザーの選択に従って前記制御部は前記ダウンロード・データの前記いずれか一方の記憶装置への格納動作の継続と当該格納動作の中止とを選択して実行可能とされたことを特徴とするディジタル放送受信装置。
【請求項２】
前記制御部は、前記放送番組の前記ダウンロード・データの複数のタイプを前記放送付加情報から判断可能とされたものであり、
前記操作部による前記ユーザーの選択に従って前記制御部は前記ダウンロード・データの前記複数のタイプのそれぞれでの前記別の通信を必要とするデータのダウンロードの要否が判断可能とされると伴に前記一方の記憶装置への格納動作の継続と当該格納動作の中止とを選択して実行可能とされたことを特徴とする請求項１に記載のディジタル放送受信装置。
【請求項３】
前記制御部は前記放送番組のダウンロードとして、前記操作部による前記ユーザーの指示による予約によるダウンロードが実行可能とされたことを特徴とする請求項１と請求項２のいずれかに記載のディジタル放送受信装置。
【請求項４】
前記受信部は、地上波ディジタルテレビジョン放送とディジタルラジオ放送とを受信可能とされたことを特徴とする請求項１から請求項３までのいずれかに記載のディジタル放送受信装置。
【請求項５】
前記送受信部はインターネットと公衆回線と携帯電話通信回線とのいずれかによってサービス提供サーバーと接続可能とされたことを特徴とする請求項４に記載のディジタル放送受信装置。
【請求項６】
前記ダウンロード・データは暗号化データであり、前記制御部は前記送受信部を介して前記サービス提供サーバーから暗号解除鍵を入手可能とされ、当該暗号解除鍵を使用して前記ダウンロード・データである前記暗号化データを解凍可能とされたことを特徴とする請求項５に記載のディジタル放送受信装置。
【請求項７】
操作部と、受信部と、制御部と、メモリ部と、出力部と、送受信部とを具備するディジタル放送受信装置に使用される半導体集積回路であって、
前記操作部は、ユーザーの指示を受信することが可能であり、
前記受信部は、放送局から送信される放送番組を受信することが可能であり、
前記制御部は、前記操作部によって受信される前記ユーザーの前記指示に従って前記受信部によって受信された前記放送番組のデータを前記メモリ部および前記出力部に供給することが可能であり、
前記メモリ部は、データ保存のために内部記憶装置を内蔵するか、または外部記憶装置が接続可能にされたものであり、
前記出力部は、少なくとも映像表示装置と音声出力装置とが接続可能にされたものであり、
前記送受信部は、前記受信部で受信される放送とは別の通信の通信回線と接続可能にされたものであり、
前記操作部によって受信された前記ユーザーの前記指示が前記受信部により受信される前記放送番組の視聴である場合には、当該視聴の間に前記制御部は前記放送番組のデータを前記出力部に接続される前記映像表示装置と前記音声出力装置とに供給するものであり、
前記操作部によって受信された前記ユーザーの前記指示が前記受信部により受信される前記放送番組のダウンロードである場合には、当該ダウンロードの間に前記制御部は前記放送番組のダウンロード・データを前記メモリ部の前記内部記憶装置と前記外部記憶装置とのいずれか一方の記憶装置に格納するものであり、
前記制御部は、遅くとも前記放送番組の前記ダウンロードの完了の以前に前記放送番組の前記ダウンロード・データが前記別の通信を必要とするか否かを前記放送番組の放送付加情報から判断可能とされたものであり、
前記放送番組の前記ダウンロード・データが前記別の通信を必要とする場合には、前記操作部による前記ユーザーの選択に従って前記制御部は前記ダウンロード・データの前記いずれか一方の記憶装置への格納動作の継続と当該格納動作の中止とを選択して実行可能とされ、
前記半導体集積回路には、少なくともディジタル放送処理部が集積化されているものであり、
前記ディジタル放送処理部は放送データ解析部を含み、当該放送データ解析部は前記制御部の前記放送番組の前記ダウンロード・データが前記別の通信を必要とするか否かの判断および前記一方の記憶装置への前記格納動作の前記継続と前記格納動作の前記中止との選択とに関して同一の動作機能を持つことを特徴とする半導体集積回路。
【請求項８】
前記制御部と同一の動作機能を持つ前記放送データ解析部は、前記放送番組の前記ダウンロード・データの複数のタイプを前記放送付加情報から判断可能とされたものであり、
前記操作部による前記ユーザーの選択に従って前記制御部と同一の動作機能を持つ前記放送データ解析部は前記ダウンロード・データの前記複数のタイプのそれぞれでの前記別の通信を必要とするデータのダウンロードの要否が判断可能とされると伴に前記一方の記憶装置への格納動作の継続と当該格納動作の中止とを選択して実行可能とされたことを特徴とする請求項７に記載の半導体集積回路。
【請求項９】
前記制御部と同一の動作機能を持つ前記放送データ解析部は前記放送番組のダウンロードとして、前記操作部による前記ユーザーの指示による予約によるダウンロードが実行可能とされたことを特徴とする請求項７と請求項８のいずれかに記載の半導体集積回路。
【請求項１０】
前記受信部は、地上波ディジタルテレビジョン放送とディジタルラジオ放送とを受信可能とされたことを特徴とする請求項７から請求項９までのいずれかに記載の半導体集積回路。
【請求項１１】
前記送受信部はインターネットと公衆回線と携帯電話通信回線とのいずれかによってサービス提供サーバーと接続可能とされたことを特徴とする請求項１０に記載の半導体集積回路。
【請求項１２】
前記ダウンロード・データは暗号化データであり、前記制御部と同一の動作機能を持つ前記放送データ解析部は前記送受信部を介して前記サービス提供サーバーから暗号解除鍵を入手可能とされ、当該暗号解除鍵を使用して前記ダウンロード・データである前記暗号化データを解凍可能とされたことを特徴とする請求項１１に記載の半導体集積回路。
【発明の詳細な説明】
【技術分野】
【０００１】
本発明は、ディジタル放送受信装置およびそれに使用される半導体集積回路に関し、特にディジタル放送から種々のデータやソフトウェアをダウンロードするユーザーの利便性を向上するのに有益な技術に関する。
【背景技術】
【０００２】
ディジタル放送では、コンディショナル・アクセス・システム(ＣＡＳ：Conditional Access System)と呼ばれる限定受信システムが知られている。すなわち、このＣＡＳと呼ばれる限定受信システムは、放送番組情報にスクランブル(暗号化)を行って、視聴者ごとに許可された(契約した)番組のみを受信できるように視聴制御を行うシステムである。視聴制御を行う番組では、その番組の映像、音声、データにスクランブル処理を行って送信して、正規の視聴者のみがスクランブル解除できることで制御されるものである。
【０００３】
下記特許文献１には、従来のＣＡＳ限定受信システムでは放送されたプログラムを受信して、受信機側の蓄積装置にプログラムを蓄積できるが、ソフトウェア(プログラム)はコンディショナル・アクセス・データに含まれて常に放送しているため帯域を無駄に使用していると記載されている。また、放送スケジュールを含む番組案内が無いため、利用者に番組案内を提示して、ダウンロードするソフトウェアを選択させることができないことも、下記特許文献１に記載されている。従って、下記特許文献１には放送番組案内にソフトウェアの放送スケジュールを挿入することによって、必要な時だけ放送することを可能として、放送帯域の無駄を無くすことが記載されている。
【０００４】
一方、ディジタル放送では、ニュースや天気予報の表示のように、ＢＣＭＬ形式で記述されたコンテンツを一定周期で同じ内容を繰り返し送出するカルーセル伝送方式が知られている。尚、ＢＣＭＬはBroadcast Content Markup Languageの略で、ＡＲＩＢ(社団法人電波産業界)により定義されたデータ放送コンテンツと各種運用情報を伝達するためのメタデータを集約したＸＭＬデータの一形式である。
【０００５】
下記特許文献２には、カルーセル伝送の一周期分のデータが取り出し終えたならば、ダウンロードデータブロックセクション(ＤＤＢ)解析部の動作を停止させ、伝送されたデータが変化したならば更新チェック部がＤＤＢ解析部の動作を再開させることが記載されている。
【０００６】
【特許文献１】特開平１１−９８４７７号  公報
【特許文献２】特開２００４−１５３６９８号  公報
【発明の開示】
【発明が解決しようとする課題】
【０００７】
番組と同時に放送されるダウンロード用データのダウンロードは、上記特許文献１に記載されたように、利用者に番組案内を提示することで可能となる。すなわち、視聴番組のデータ放送部分にダウンロード可能なデータがあることを番組案内によってユーザーに提示して、ユーザーの実行指示によってデータのダウンロードを開始することができる。
【０００８】
また、予約ダウンロードは、上記特許文献１に記載された番組案内を利用するか、または電子番組ガイドシステム(ＥＰＧ)を利用することで、ダウンロードを行う放送チャンネルと放送時間との予約によって可能である。電子番組ガイドシステム(ＥＰＧ：Electronic Program Guide)は、ディジタル放送の映像と音声のトランスポート・ストリームに加えて多重化されて放送される放送付加情報のひとつである。この電子番組ガイドシステム(ＥＰＧ)にはイベント情報テーブル(ＥＩＴ：Event Information Table)が含まれ、イベント情報テーブル(ＥＩＴ)には番組毎の開始時間、番組の長さ、番組名、出演者、番組のジャンル等の付随情報が含まれている。
【０００９】
また、ディジタル放送からダウンロードされたデータはそのままで使用可能な場合もあるが、ディジタル放送からのダウンロード後に、インターネットもしくは公衆回線等を介しての通信によってデータの有効化を行わなければデータの使用が不可能な場合もある。
【００１０】
データを有効化する例としては、ダウンロードされたデータが暗号化データの場合には、インターネット経由で暗号解除鍵を入手することにより暗号化データを解凍する場合もある。その他の例としては、ダウンロードされたデータが電子チケット等の場合には、チケットデータを有効にするためにインターネット経由でサービス・サーバーと接続して登録作業を行うことにより携帯電話端末内部の有効なデータとすることができる。携帯電話端末内部で有効化された電子チケットは、入り口の非接触リーダー・ライター装置により読み取りが行われ、ユーザーの入場が可能となるものである。
【００１１】
本発明者等は本発明に先立って、携帯電話端末に搭載可能で地上波ディジタルテレビジョン放送やディジタルラジオ放送を受信可能な半導体集積回路の研究・開発に従事した。この半導体集積回路を搭載した携帯電話端末を利用することによってディジタル放送を受信することが可能であると伴に、ディジタル放送から種々のデータやソフトウェアをダウンロードすることも可能である。
【００１２】
しかし、本発明者等が検討を行ったところ、これまでのデータダウンロード方式には以下のような問題を有することが明らかとされた。
【００１３】
すなわち、これまでの方式では、ダウンロードの前には今からダウンロードするデータがダウンロードの後にインターネットもしくは公衆回線等を介してのディジタル放送とは別の通信によってデータの有効化を行わなければデータの使用が不可能であるかが判断できないものであった。別の通信自体がユーザーの手間であり、また通信費用も必要な場合もある。また更に、別の通信が携帯電話端末による無線通信の場合には、無線通信によって電力が消費されるものである。
【００１４】
また更に、ダウンロードしたデータを有効にするためにインターネット経由でサービス・サーバーと接続して登録作業を行う際には、登録費用の支払いが必要な場合もある。また、登録費用を支払うかユーザーが判断を躊躇している間に、ダウンロード・データの有効期限が切れる場合もある。その後に登録費用の支払いをユーザーが決断した場合には、データをディジタル放送から再度ダウンロードすることが必要となる。逆に登録費用の支払いを行わないとユーザーが決定した場合には、携帯電話端末内蔵のフラッシュ不揮発性メモリ等に格納されたダウンロード・データを消去することが必要である。
【００１５】
本発明者等が更に検討を行ったところ、今からダウンロードするデータがダウンロード後にディジタル放送とは別の通信によってデータの有効化を行わなければデータの使用が不可能であるかをダウンロード完了の前にユーザーが判断できれば、ディジタル放送から種々のデータやソフトウェアをダウンロードするユーザーの利便性が著しく向上することが明らかとされた。
【００１６】
本発明は、以上のような本発明に先立った本発明者等の検討の結果、なされたものである。
【００１７】
従って、本発明の目的とするところは、ディジタル放送から種々のデータやソフトウェアをダウンロードするユーザーの利便性を向上することが可能なディジタル放送受信装置およびそれに使用される半導体集積回路を提供することにある。
【００１８】
本発明の前記ならびにその他の目的と新規な特徴は、本明細書の記述および添付図面から明らかになるであろう。
【課題を解決するための手段】
【００１９】
本願において開示される発明のうちの代表的なものについて簡単に説明すれば下記のとおりである。
【００２０】
すなわち、本発明の代表的なディジタル放送受信装置(１００)は、操作部(２)と、受信部(３)と、制御部(４)と、メモリ部(５)と、出力部(６)と、送受信部(７)とを具備する。
【００２１】
操作部(２)はユーザーの指示を受信して、受信部(３)は放送局(２００)から送信される放送番組を受信して、制御部(４)は受信部(３)によって受信された放送番組のデータをメモリ部(５)および出力部(６)に供給する。メモリ部(５)は、内部記憶装置を内蔵するか外部記憶装置が接続可能にされる。出力部(６)は、映像表示装置と音声出力装置とが接続可能にされる。送受信部(７)は、受信部(３)で受信される放送とは別の通信の通信回線と接続可能にされる。
【００２２】
ユーザーの指示が放送番組の視聴である場合には、視聴の間に制御部(４)は放送番組のデータを出力部(６)に接続される前記映像表示装置と前記音声出力装置とに供給するものである。ユーザーの指示が放送番組のダウンロードである場合には、制御部(４)は放送番組のダウンロード・データをメモリ部(５)の内部記憶装置と外部記憶装置とのいずれか一方の記憶装置に格納する。
【００２３】
制御部(４)は、遅くとも放送番組の前記ダウンロードの完了の以前に放送番組のダウンロード・データが別の通信を必要とするか否かを放送付加情報から判断可能とされる。放送番組のダウンロード・データが別の通信を必要とする場合には、制御部(４)はダウンロード・データの一方の記憶装置への格納動作の継続と格納動作の中止とを選択して実行可能とされる。
【発明の効果】
【００２４】
本願において開示される発明のうち代表的なものによって得られる効果を簡単に説明すれば下記の通りである。
【００２５】
すなわち、ディジタル放送から種々のデータやソフトウェアをダウンロードするユーザーの利便性を向上することができる。
【発明を実施するための最良の形態】
【００２６】
《代表的な実施の形態》
先ず、本願において開示される発明の代表的な実施の形態について概要を説明する。代表的な実施の形態についての概要説明で括弧を付して参照する図面の参照符号はそれが付された構成要素の概念に含まれるものを例示するに過ぎない。
【００２７】
〔１〕本発明の代表的な実施の形態によるディジタル放送受信装置(１００)は、操作部(２)と、受信部(３)と、制御部(４)と、メモリ部(５)と、出力部(６)と、送受信部(７)とを具備する。
【００２８】
前記操作部(２)は、ユーザーの指示を受信することが可能である。
【００２９】
前記受信部(３)は、放送局(２００)から送信される放送番組を受信することが可能である。
【００３０】
前記制御部(４)は、前記操作部(２)によって受信される前記ユーザーの前記指示に従って前記受信部(３)によって受信された前記放送番組のデータを前記メモリ部(５)および前記出力部(６)に供給することが可能である。
【００３１】
前記メモリ部(５)は、データ保存のために内部記憶装置を内蔵するか、または外部記憶装置が接続可能にされたものである。
【００３２】
前記出力部(６)は、少なくとも映像表示装置と音声出力装置とが接続可能にされたものである。
【００３３】
前記送受信部(７)は、前記受信部(３)で受信される放送とは別の通信の通信回線と接続可能にされたものである。
【００３４】
前記操作部(２)によって受信された前記ユーザーの前記指示が前記受信部(３)により受信される前記放送番組の視聴である場合には、当該視聴の間に前記制御部(４)は前記放送番組のデータを前記出力部(６)に接続される前記映像表示装置と前記音声出力装置とに供給するものである。
【００３５】
前記操作部(２)によって受信された前記ユーザーの前記指示が前記受信部(３)により受信される前記放送番組のダウンロードである場合には、当該ダウンロードの間に前記制御部(４)は前記放送番組のダウンロード・データを前記メモリ部(５)の前記内部記憶装置と前記外部記憶装置とのいずれか一方の記憶装置に格納するものである(図１参照)。
【００３６】
前記制御部(４)は、遅くとも前記放送番組の前記ダウンロードの完了の以前に前記放送番組の前記ダウンロード・データが前記別の通信を必要とするか否かを前記放送番組の放送付加情報(図５参照)から判断可能とされたものである。
【００３７】
前記放送番組の前記ダウンロード・データが前記別の通信を必要とする場合には、前記操作部(２)による前記ユーザーの選択に従って前記制御部(４)は前記ダウンロード・データの前記いずれか一方の記憶装置への格納動作の継続と当該格納動作の中止とを選択して実行可能とされたことを特徴とするものである(図７参照)。
【００３８】
前記実施の形態によれば、ダウンロード・データが別の通信を必要とするか否かがダウンロード完了前にユーザーが判断できるので放送局から種々のデータやソフトウェアをダウンロードするユーザーの利便性を向上することが可能となる。
【００３９】
好適な実施の形態では、前記制御部(４)は、前記放送番組の前記ダウンロード・データの複数のタイプを前記放送付加情報から判断可能とされたものである(図６参照)。
【００４０】
前記操作部(２)による前記ユーザーの選択に従って前記制御部(４)は前記ダウンロード・データの前記複数のタイプのそれぞれでの前記別の通信を必要とするデータのダウンロードの要否が判断可能とされると伴に前記一方の記憶装置への格納動作の継続と当該格納動作の中止とを選択して実行可能とされたことを特徴とするものである(図６参照)。
【００４１】
より好適な実施の形態では、前記制御部(４)は前記放送番組のダウンロードとして、前記操作部(２)による前記ユーザーの指示による予約によるダウンロードが実行可能とされたことを特徴とするものである(図８参照)。
【００４２】
更により好適な実施の形態では、前記受信部(３)は、地上波ディジタルテレビジョン放送とディジタルラジオ放送とを受信可能とされたことを特徴とするものである(図１参照)。
【００４３】
具体的な一つの実施の形態では、前記送受信部(７)はインターネットと公衆回線と携帯電話通信回線とのいずれかによってサービス提供サーバー(４００)と接続可能とされたことを特徴とするものである(図１、図３参照)。
【００４４】
最も具体的な一つの実施の形態では、前記ダウンロード・データは暗号化データであり、前記制御部(４)は前記送受信部(７)を介して前記サービス提供サーバー(４００)から暗号解除鍵を入手可能とされ、当該暗号解除鍵を使用して前記ダウンロード・データである前記暗号化データを解凍可能とされたことを特徴とするものである(図１、図３参照)。
【００４５】
〔２〕本発明の別の観点の代表的な実施の形態は、操作部(２)と、受信部(３)と、制御部(４)と、メモリ部(５)と、出力部(６)と、送受信部(７)とを具備するディジタル放送受信装置(１００)に使用される半導体集積回路である。
【００４６】
前記操作部(２)は、ユーザーの指示を受信することが可能である。
【００４７】
前記受信部(３)は、放送局(２００)から送信される放送番組を受信することが可能である。
【００４８】
前記制御部(４)は、前記操作部(２)によって受信される前記ユーザーの前記指示に従って前記受信部(３)によって受信された前記放送番組のデータを前記メモリ部(５)および前記出力部(６)に供給することが可能である。
【００４９】
前記メモリ部(５)は、データ保存のために内部記憶装置を内蔵するか、または外部記憶装置が接続可能にされたものである。
【００５０】
前記出力部(６)は、少なくとも映像表示装置と音声出力装置とが接続可能にされたものである。
【００５１】
前記送受信部(７)は、前記受信部(３)で受信される放送とは別の通信の通信回線と接続可能にされたものである。
【００５２】
前記操作部(２)によって受信された前記ユーザーの前記指示が前記受信部(３)により受信される前記放送番組の視聴である場合には、当該視聴の間に前記制御部(４)は前記放送番組のデータを前記出力部(６)に接続される前記映像表示装置と前記音声出力装置とに供給するものである。
【００５３】
前記操作部(２)によって受信された前記ユーザーの前記指示が前記受信部(３)により受信される前記放送番組のダウンロードである場合には、当該ダウンロードの間に前記制御部(４)は前記放送番組のダウンロード・データを前記メモリ部(５)の前記内部記憶装置と前記外部記憶装置とのいずれか一方の記憶装置に格納するものである(図１参照)。
【００５４】
前記制御部(４)は、遅くとも前記放送番組の前記ダウンロードの完了の以前に前記放送番組の前記ダウンロード・データが前記別の通信を必要とするか否かを前記放送番組の放送付加情報(図５参照)から判断可能とされたものである。
【００５５】
前記放送番組の前記ダウンロード・データが前記別の通信を必要とする場合には、前記操作部(２)による前記ユーザーの選択に従って前記制御部(４)は前記ダウンロード・データの前記いずれか一方の記憶装置への格納動作の継続と当該格納動作の中止とを選択して実行可能とされたものである(図７参照)。
【００５６】
前記半導体集積回路には、少なくともディジタル放送処理部(３３)が集積化されているものである。
【００５７】
前記ディジタル放送処理部(３３)は放送データ解析部(３３１１)を含み、当該放送データ解析部は前記制御部(４)の前記放送番組の前記ダウンロード・データが前記別の通信を必要とするか否かの判断および前記一方の記憶装置への前記格納動作の前記継続と前記格納動作の前記中止との選択とに関して同一の動作機能を持つことを特徴とするものである(図１６参照)。
【００５８】
前記実施の形態によれば、ダウンロード・データが別の通信を必要とするか否かがダウンロード完了前にユーザーが判断できるので放送局から種々のデータやソフトウェアをダウンロードするユーザーの利便性を向上することが可能となる。
【００５９】
《実施の形態の説明》
次に、実施の形態について更に詳述する。尚、発明を実施するための最良の形態を説明するための全図において、前記の図と同一の機能を有する部品には同一の符号を付して、その繰り返しの説明は省略する。
【００６０】
《ディジタル放送受信装置の構成》
図１は、本発明の実施の形態による携帯電話端末に搭載可能で地上波ディジタルテレビジョン放送やディジタルラジオ放送を受信可能なディジタル放送受信装置の構成の示す図である。
【００６１】
図１に示すディジタル放送受信装置１００は、例えば地上波ディジタル放送のテレビやディジタルラジオの番組放送を受信可能な携帯電話端末の形態で構成されている。しかし、本発明のディジタル放送受信装置１００は、携帯電話端末に限定されるものではなく、それ以外にＰＤＡ(Personal Digital Assistants)などの携帯情報端末装置や同様に地上波ディジタルテレビジョン放送やディジタルラジオ放送等の番組放送を受信可能な家庭のセットトップボックスやビデオデッキやコンポなどの音楽プレーヤーやラジオなどの受信装置に適用することが可能である。
【００６２】
図１に示すディジタル放送受信装置１００は、放送局２００からの種々の放送波を受信可能である一方、それぞれ放送波に含まれるデータをダウンロードして携帯電話端末内蔵のフラッシュ不揮発性メモリや家庭用セットトップボックスのＨＤＤ磁気記憶装置に保存することができる。
【００６３】
また、ディジタル放送受信装置１００はディジタル放送とは別の通信であるインターネットもしくは公衆回線等を介してネットワーク３００およびサービスを提供するサーバー４００と接続されることによって、電子番組表としての電子番組ガイドシステム(ＥＰＧ：Electronic Program Guide)、暗号解除鍵、ソフトウェアやプログラムのコンテンツ等の種々のデータの受信が可能である。
【００６４】
ディジタル放送受信装置１００には、放送局２００から地上波ディジタルテレビジョン放送やディジタルラジオ放送等の番組放送を受信するためのアンテナ１が接続されている。
【００６５】
またディジタル放送受信装置１００は、操作部２、受信部３、制御部４、メモリ部５、出力部６、送受信部７を含み、制御部４は放送データ受信部４１と保存処理部４２と出力処理部４３と設定部４４とを含み、放送データ受信部４１はデータタイプ判定部４１１と通信利用判定部４１２とを含んでいる。
【００６６】
操作部２は、ディジタル放送受信装置１００を操作するためのキーボタン、キーボード、タッチパネル、音声命令入力装置等であり、ディジタル放送受信装置１００を操作するユーザーの指示、意向の入力のために用いられるものである。
【００６７】
受信部３は、ディジタル放送番組の映像信号と音声信号とのトランスポート・ストリーム(ＴＳ)のデータを含むディジタル放送局からの無線周波数信号をアンテナ１により受信して取り出すための信号処理を行うチューナー等の装置である。
【００６８】
制御部４は、中央処理ユニット(ＣＰＵ)により構成され、操作部２から入力される命令の処理、送受信部７から入力されるデータの処理、受信部３から入力される放送データの処理を実行する一方、その実行結果のメモリ部５への保存と出力部６への出力とを実行する。
【００６９】
メモリ部５は、放送波からダウンロードされたデータを保存するための携帯電話端末内蔵のフラッシュ不揮発性メモリや家庭用セットトップボックスのＨＤＤ磁気記憶装置である。またフラッシュ不揮発性メモリとしては、携帯電話端末に着脱可能なフラッシュメモリカードも使用することができる。
【００７０】
出力部６は、携帯電話端末のメイン／サブの液晶ディスプレーの映像信号出力部とスピーカーやイヤホンの音声出力部を含む一方、音声や映像や文字やバイブレータ等によるユーザーへの通知出力部である。
【００７１】
送受信部７は、モデム回路や無線周波数送受信回路等によって構成され、ディジタル放送とは別の通信であるインターネットまたは公衆回線等を介してネットワーク３００および外部のサーバー４００とデータの送受信を行うものである。
【００７２】
また、ディジタル放送受信装置１００の制御部４は、放送データ受信部４１と、ダウンロード・データ等メモリ部５への保存処理を実行する保存処理部４２と、放送データから映像と文字の映像信号と音声信号の出力情報を処理する出力処理部４３と、操作部２から入力された入力設定を保持して判断する設定部４４とを含んでいる。放送データ受信部４１は、データタイプ判定部４１１、通信利用判定部４１２を含んでいる。
【００７３】
図１のディジタル放送受信装置１００では、制御部４の内部に、放送データ受信部４１、保存処理部４２、出力処理部４３、設定部４４のハードウェアを含んでいるが、制御部４のこれらのハードウェアは制御部４を構成する中央処理ユニット(ＣＰＵ)によって実行されるソフトウェアによって置換されることができる。
【００７４】
《放送トランスポート・ストリームのデータ構成》
図１のディジタル放送受信装置１００に放送局２００から送信される地上波ディジタルテレビジョン放送やディジタルラジオ放送等のデータは、ディジタル放送のＭＰＥＧ２による映像信号および音声信号と種々の異なるタイプのデータ多重化された放送トランスポート・ストリーム(ＴＳ：Transport Stream)のデータである。
【００７５】
図２は、図１に示すディジタル放送受信装置１００によって受信される地上波ディジタルテレビジョン放送やディジタルラジオ放送等の映像信号および音声信号と種々の異なるタイプのデータ多重化された放送トランスポート・ストリームのデータの構成を示す図である。
【００７６】
すなわち、図２に示すように電子番組ガイドシステム(ＥＰＧ)による番組の構成データや番組情報データと放送番組映像信号データと放送番組音声信号データと伴に、ユーザーによるダウンロードが可能な種々の放送付加情報のデータＡ、データＢ、データＣが放送局から送信される。図２では、４種類のＴＳデータが同時に放送局から送信されているように見えるが実際には、４種類のＴＳデータは時分割多重転送によって送信される。しかし、ユーザーには４種類のＴＳデータが放送局から同時に送信されているように見えるので、電子番組ガイドシステム(ＥＰＧ)の利用で選局した放送番組の映像信号と音声信号の視聴の(裏)バックグラウンドで放送付加情報であるデータＡ、データＢ、データＣをダウンロードすること可能である。すなわち、具体的には図２の破線で拡大したように、トランスポート・ストリーム(ＴＳ)の各パケット・データのヘッダーに付加されたパケット識別子(ＰＩＤ：Packet Identifier)を利用することによりバックグラウンドでのダウンロードが可能である。ダウンロード・データは、放送局からカルーセル方式で伝送され、例えば図２ではデータＡが５回の繰り返し回数で伝送されるようなものであり、受信側ではダウンロード・データを所定のダウンロード期間で繰り返して受信することができる。
【００７７】
《放送データのダウンロード》
図３は、図１に示すディジタル放送受信装置１００を使用することにより、放送局２００からの放送波に含まれるデータをダウンロードする一方、ディジタル放送とは別の通信であるインターネットもしくは公衆回線を介してネットワーク３００およびサービス提供サーバー４００と接続する様子を説明する図である。
【００７８】
図３に示すように、例えば、放送局２００が、音楽番組のディジタル放送と同時に、放送している音楽を暗号化したコンテンツデータをバックグラウンドで送信する。ディジタル放送受信装置１００はディジタル放送の受信と平行して、ディジタル放送のバックグラウンドで送信している暗号化コンテンツデータも受信ダウンロードすることができる。従って、ユーザーはディジタル放送の視聴によって気に入った音楽信号の暗号化コンテンツデータを受信ダウンロードによって入手することができる。
【００７９】
しかし、放送局２００から受信ダウンロードした暗号化コンテンツデータはサーバー４００から暗号解除鍵を別途入手しなければ、それだけではディジタル放送受信装置１００を利用して視聴することができない場合が多い。従って、ディジタル放送受信装置１００は放送局２００からの暗号化コンテンツデータのダウンロードの後に、携帯電話の通信基地局５００とネットワーク３００とを経由してサーバー４００と通信を行い、コンテンツデータの利用登録料の支払い等によって暗号解除鍵を入手する。これによってはディジタル放送受信装置１００で暗号化コンテンツデータの暗号を解凍して、ダウンロードした音楽を視聴することが可能になる。
【００８０】
その他の例としては、ダウンロードされたデータが電子チケット等の場合には、コンサート等のチケットデータを有効にするために通信基地局５００とネットワーク３００とを経由してサーバー４００と接続して登録作業を行うことにより携帯電話端末であるディジタル放送受信装置１００の内部の有効なデータとすることができる。携帯電話端末であるディジタル放送受信装置１００の内部で有効化された電子チケットは、コンサート会場等の入り口の非接触リーダー・ライター装置によって読み取りが行われ、ユーザーの入場が可能となるものである。
【００８１】
更に本発明の実施の形態によるディジタル放送受信装置１００では、ユーザーがディジタル放送とは別の通信であるインターネットもしくは公衆回線を介してネットワーク３００およびサービス提供サーバー４００との接続によるダウンロード・データの料金を支払わない場合には、事前にその設定が可能なものである。すなわち、ダウンロード・データが別の通信を利用するかの放送局からのユーザーへの事前通知が実行されるものであり、事前通知に応答してユーザーの判断が可能となるものである。例えば、事前通知に応答してユーザーはデータ・ダウンロード自体を開始しないことも可能となる。ダウンロード・データがディジタル放送とは別の通信を利用するデータかのユーザーの判断は、放送番組の構成データ等に別の通信を利用するか否かを識別する別通信利用可否識別データを送信局が挿入することで可能となる。更にまた、この判断は、サービス提供サーバー４００のインターネットの統一資源位置指定子(ＵＲＬ：Universal Resource Locator)がデータ・ダウンロードに記述されているか否かをディジタル放送受信装置１００が検出することで、可能となるものである。また、ダウンロード・データが電子チケットであったり、料金の支払い等によるダウンロード・データの有効化の有効期限があることをユーザーに事前通知することもできる。その結果、携帯電話端末内蔵のフラッシュ不揮発性メモリのダウンロード・データの不要な格納もしくは不要な消去の頻度を低減することができる。このようにして、今からダウンロードするデータがダウンロード後にディジタル放送とは別の通信によってデータの有効化を行わなければデータの使用が不可能であるかが事前にユーザーが判断できるので、ディジタル放送から種々のデータやソフトウェアをダウンロードするユーザーの利便性が著しく向上するものとなる。更に、携帯電話端末の消費電力の低減と、フラッシュ不揮発性メモリの記憶容量の節約と、ユーザーの使い勝手を向上することが可能となる。
【００８２】
《ディジタル放送受信装置でのデータ・ダウンロード設定》
図４は、図１に示すディジタル放送受信装置１００でユーザーの操作によって実行されるデータ・ダウンロード設定動作を説明する図である。
【００８３】
まず、ユーザーが図４の設定動作のフローのステップＳ１０１においてディジタル放送受信装置１００のデータ・ダウンロードの設定動作を開始する前に、携帯電話端末の液晶表示画面には図４(Ａ)の設定画面が表示される。
【００８４】
図４のステップＳ１０１でユーザーが操作部２を操作して図４(Ａ)の下側のデータ・ダウンロード設定を選択すると、図４のフローはダウンロードされるデータのタイプを設定するステップＳ１０２に移行する。このステップＳ１０２では、携帯電話端末の液晶表示画面には図４(Ｂ)の設定画面が表示される。図４(Ｂ)の例では、ユーザーが操作部２を操作して図４(Ｂ)の上から２番目の音楽データのダウンロードを選択している。このステップＳ１０２のデータタイプ設定では、図４(Ｂ)に示すように１種類のデータタイプを選択して設定しても良いし、複数の種類のデータタイプを組み合わせて選択して設定しても良い。特に、タイプを制限しない場合には全てを選択して設定することも可能である。
【００８５】
次に、図４のステップＳ１０３では、携帯電話端末の液晶表示画面には図４(Ｃ)の設定画面が表示され、ユーザーは操作部２を操作して、ディジタル放送とは別の通信であるインターネットまたは公衆回線等を介してネットワーク３００および外部サーバー４００とデータ送受信を伴う放送データのダウンロードの実行をするかしないかの設定を行うものである。例えば、図４のステップＳ１０３で、図４(Ｃ)の上の別の通信を利用する放送データのダウンロードを実行するを選択して設定すると、携帯電話端末の液晶表示画面には図４(Ｄ)の設定画面が表示される。この図４(Ｄ)の設定画面を利用することによって、データのダウンロードの実行の完了後に放送局からユーザーへのダウンロード実行完了の通知をして欲しいデータのタイプを選択して設定することも可能となっている。図４(Ｄ)に示したダウンロードの設定画面の例では、音楽データ、動画データ、静止画データ、ニュースデータ、チケットデータ、交通情報データ、ゲームデータ等のダウンロード実行完了の通知の要否が選択可能となっている。図４のステップＳ１０３の図４(Ｃ)、(Ｄ)の設定画面を利用した設定によって図４のフローのステップＳ１０４に移行して、図４のデータ・ダウンロードの設定動作が完了する。
【００８６】
《ダウンロードを可能とする放送データの構成》
図５は、図４に示すデータ・ダウンロードを可能とする放送局からの放送データの構成を示す図である。
【００８７】
上述したように、図１に示すディジタル放送受信装置１００によって受信される地上波ディジタルテレビジョン放送やディジタルラジオ放送の放送トランスポート・ストリームには放送番組映像信号データおよび放送番組音声信号データと伴に電子番組ガイドシステム(ＥＰＧ)による番組の構成データやユーザーによるダウンロードを可能とする放送付加情報が含まれる。
【００８８】
図５の一番下には、ユーザーによるダウンロードを可能とする放送付加情報としてダウンロード・データの識別番号、データのタイプ、別の通信の利用の有無、通信先の有効期限等が含まれていることが示されている。最初の選局情報、すなわち、図５の一番目には、電子番組ガイドシステム(ＥＰＧ)のイベント情報テーブル(ＥＩＴ)に含まれる種々の情報が示されている。すなわち、イベント情報テーブル(ＥＩＴ)は、番組毎の番組名、開始時間、番組長、出演者、番組のジャンル等の付随情報を含んでいる。尚、ＥＩＴは、Event Information Tableの略である。図５の一番目および四番目のデータ・ダウンロードのための選局情報は、番組マップテーブル(ＰＭＴ)のパケット識別子(ＰＩＤ)に含まれるものである。この番組マップテーブル(ＰＭＴ)は、放送番組を構成する各符号化信号を伝送するＴＳパケットのパケット識別子(ＰＩＤ)が記述されるテーブルである。ユーザーが行う選局は、チューナーの出力信号からこのテーブルを取得するまでの処理と言うことができる。すなわち、番組マップテーブルは、ディジタル放送で最も重要なテーブルの１つであるとされている。尚、ＰＭＴは、Program Map Tableの略である。
【００８９】
また、この番組マップテーブル(ＰＭＴ)のパケット識別子(ＰＩＤ)に付随して、図５の二番目および三番目に示すように放送番組を構成する映像トランスポート・ストリームのパケット識別子(ＰＩＤ)と音声トランスポート・ストリームのパケット識別子(ＰＩＤ)とが放送局から放送される。
【００９０】
図６は、図５に示した放送局からの放送データにおいてデータ・ダウンロードを制御する制御情報の構成を示す図である。
【００９１】
例えば、図６では、音楽データは“００”、映像データは“０１”、ニュースデータは０２”と言うようにダウンロード・データのデータ・タイプを事前に決定して、タイプ・コードを放送データの放送付加情報に挿入するものである。図１に示すディジタル放送受信装置１００は、受信時点にて図５に示す構成データからダウンロード・データのデータタイプを検出するものである。検出されたタイプ・コードが“００”であれば、現在受信中のダウンロード・データは音楽データであると判定することができる。ディジタル放送受信装置１００では、図６に示すようにダウンロードするデータタイプの事前設定が可能である。例えば、ダウンロードするデータタイプとして音楽データを事前設定しておけば、音楽データであるタイプコードが“００”のデータＡだけダウンロードされ、フラッシュ不揮発性メモリに保存することができる。
【００９２】
ダウンロード・データのタイプとしては、図６に示した音楽データ、映像データ、ニュースデータ、チケットデータ以外にも図４に示したように交通情報データ、ゲームデータなど様々なタイプが考えられる。
【００９３】
また、図６の右に示すように、ディジタル放送とは別の通信であるインターネットまたは公衆回線等を介してネットワーク３００および外部のサーバー４００とデータの送受信を利用するデータのダウンロードを実行するか実行しないかの設定をデータ・タイプごとに事前設定することもできる。例えば、音楽のデータの場合には、別の通信を利用するデータであっても、ダウンロードを行う設定に事前設定することができる。映像データの場合には、別の通信を利用するデータはダウンロードしないが、別の通信を利用しないデータの場合にはダウンロードを行う設定に事前設定するなど、ユーザーの意向を細かく反映した事前設定も可能となるものである。
【００９４】
以上説明したように、ユーザーがダウンロードを希望するデータ・タイプの事前設定と、別の通信を利用するデータのダウンロードを実行するか実行しないかの事前設定を利用によって、不必要なダウンロードを回避することができる。
【００９５】
≪放送番組の視聴中のデータ・ダウンロード≫
次に、放送番組の視聴中のデータ・ダウンロードの動作について説明する。
【００９６】
まず、図１に示すディジタル放送受信装置１００は、放送視聴時には放送局２００からの放送波をアンテナ１と受信部３とを経由して制御部４に放送トランスポート・ストリーム(ＴＳ)のデータを供給する。制御部４は放送ＴＳデータから符号化映像信号ＴＳデータと符号化音声信号ＴＳデータとを抽出して、それらは出力処理部４３でＭＰＥＧデコード処理されるものである。従って、出力部６の液晶表示画面、スピーカーを利用して、ユーザーは放送番組の映像と音声を視聴することができる。更に、ユーザーによる放送番組の視聴中に、放送局から伝送される放送コンテンツ・データをバックグラウンドにて受信してダウンロードすることができる。
【００９７】
図７は、図１に示すディジタル放送受信装置１００を利用して、ユーザーによる放送番組の視聴中に放送局から伝送される放送コンテンツ・データをバックグラウンドで受信してダウンロードする動作を説明するための図である。
【００９８】
ユーザーによる放送番組の視聴中に図１に示すディジタル放送受信装置１００の放送データ受信部４１は、図５の一番下の放送付加情報を判断して、ユーザーによるダウンロードが可能な放送コンテンツ・データが放送番組に含まれて伝送されているかを判断している。ダウンロードが可能なデータが放送番組に含まれている場合には、ダウンロード動作の実行開始と実行継続を実行するか否かをユーザーに判断させるために、その旨がユーザーに表示される。
【００９９】
図９は、ダウンロードが可能なデータが放送番組に含まれている場合に、図１に示すディジタル放送受信装置１００の出力部６の液晶表示画面に表示されるユーザーへの通知表示画面の構成を示す図である。
【０１００】
ダウンロードが可能なデータが放送番組に含まれている場合には、図９(Ａ)に示すユーザーへの通知表示画面が表示される。図７のステップＳ２０１にてユーザーが図１のディジタル放送受信装置１００の操作部２を手動で操作することによって、図７のステップＳ２０２にて放送コンテンツ・データのダウンロードの実行が開始される。
【０１０１】
すると、図１のディジタル放送受信装置１００の制御部４の放送データ受信部４１のデータタイプ判定部４１１はダウンロードされる放送コンテンツ・データのタイプを判断する一方、制御部４の放送データ受信部４１の通信利用判定部４１２はダウンロードされる放送コンテンツ・データが別の通信を利用するものか否かを判断する。
【０１０２】
ダウンロードされる放送コンテンツ・データのタイプの判断は、上述したように図５の一番下の放送付加情報のデータのタイプから判断することが可能であり、また、図６のタイプコード“００”〜“０３”から判断することが可能である。ダウンロードされる放送コンテンツ・データが別の通信を利用するものか否かの判断は、上述したように、図５の一番下の放送付加情報の別の通信の利用の有無から判断することが可能である。また、ダウンロードされる放送コンテンツ・データが別の通信を利用するものか否かは、図１０に示すようなサービス提供サーバー４００のインターネットの統一資源位置指定子(ＵＲＬ：Universal Resource Locator)の記述が放送付加情報としてダウンロードデータに含まれているかチェックすることで判別することができる。
【０１０３】
すなわち図１０は、ユーザーによるダウンロードを可能とする放送付加情報として図５の一番下にダウンロードデータの識別番号、データのタイプ、別の通信の利用の有無と伴に、サービス提供サーバー４００のインターネットの統一資源位置指定子(ＵＲＬ)と通信先の有効期限等とが含まれることを示す図である。
【０１０４】
以上のように、図７のステップＳ２０３にて制御部４の放送データ受信部４１の通信利用判定部４１２は、ダウンロードされる放送コンテンツ・データが別の通信を利用するものか否かを判断する。別の通信を利用しないデータの場合には、図７のステップＳ２０４にて放送コンテンツ・データのダウンロード受信が続行される。そしてダウンロード受信により放送コンテンツ・データを全てフラッシュ不揮発性メモリへ保存したならば、図７のステップＳ２０５でデータ・ダウンロード動作を終了する。
【０１０５】
もし、ダウンロードされる放送コンテンツ・データが別の通信を利用するデータであると図７のステップＳ２０３で判断された場合には、図９(Ｂ)に示すユーザーへの別の通信の利用の通知表示画面が図７のステップＳ２０６で表示される。図７のステップＳ２０６にて図９(Ｂ)の通知表示画面を見たユーザーが図７のステップＳ２０７において放送コンテンツ・データのダウンロード受信の続行を選択した場合には、図７のステップＳ２０４にて放送コンテンツ・データのダウンロード受信が続行される。そしてダウンロード受信によって放送コンテンツ・データが全てフラッシュ不揮発性メモリへ保存されたならば、図７のステップＳ２０５でデータ・ダウンロード動作を終了する。しかし、図７のステップＳ２０６にて図９(Ｂ)の通知表示画面を見たユーザーが図７のステップＳ２０７において放送コンテンツ・データのダウンロード受信の中断を選択した場合には、図７のステップＳ２０８で放送コンテンツ・データのダウンロード受信が中断されるものとなり、図７のステップＳ２０５でデータ・ダウンロード動作を終了する。
【０１０６】
以上説明したように、これからダウンロードされる放送コンテンツ・データが別の通信を利用するか否かを示す表示が、ダウンロードの動作の途中で、ユーザーに表示されるものである。従って、ディジタル放送とは別の通信による通信料の支払いを好まないユーザーは、不必要なダウンロードを回避することができる。更に、携帯電話端末の消費電力の低減と、フラッシュ不揮発性メモリの記憶容量の節約と、ユーザーの使い勝手の向上が可能となる。
【０１０７】
≪予約によるデータ・ダウンロード≫
次に、予約によるデータ・ダウンロードの動作について説明する。
【０１０８】
すなわち、放送局から伝送される放送コンテンツ・データを予約によって受信してダウンロードすることができる。まず、このような予約によるデータ・ダウンロード動作を行う場合には、ユーザーは図１に示すディジタル放送受信装置１００の操作部２の操作によって制御部４の設定部４４に予約ダウンロードを行う放送局のチャンネル番号と放送開始時間と放送時間の長さとを設定するものである。
【０１０９】
図８は、図１に示すディジタル放送受信装置１００を利用して、放送局から伝送される放送コンテンツ・データを予約によって受信してダウンロードする動作を説明するための図である。
【０１１０】
図８のステップＳ３０１で、図１に示すディジタル放送受信装置１００の操作部２の操作によって設定部４４に予約された放送開始時間の時間になると、制御部４の設定部４４は制御部４の放送データ受信部４１にデータ・ダウンロード動作の開始を指示するので、制御部４の放送データ受信部４１はダウンロード受信を開始する。
【０１１１】
すると、図８のステップＳ３０２で、制御部４の放送データ受信部４１は設定部４４の予約ダウンロードの予約設定情報と予約によってダウンロード受信を開始した放送番組の放送付加情報とから、放送番組中にダウンロードすべきデータが含まれているかを判断する。このデータの有無の判断は、例えば、音楽番組の時間の音楽データのダウンロードを予約した場合には、ダウンロード可能な音楽データの有無を放送データ受信部４１のデータタイプ判定部４１１で判断するものである。この判断は、上述したように図５の一番下の放送付加情報のデータのタイプから判断することが可能である。
【０１１２】
図８のステップＳ３０２にてダウンロード可能な音楽データが存在しないことが放送データ受信部４１で判定されると、図８のステップＳ３０７にて制御部４はダウンロード中断処理を実行して、図８のステップＳ３０６で予約によるデータ・ダウンロード動作を終了するものである。
【０１１３】
図８のステップＳ３０２でダウンロード可能な音楽データが存在することが放送データ受信部４１で判定されると、図８のステップＳ３０３にて制御部４はデータダウンロード実行動作を開始して、ダウンロードが開始されたデータは保存処理部４２を経由してメモリ部５に供給される。このようにして、メモリ部５の例えば、フラッシュ不揮発性メモリへのダウンロード可能な音楽データの保存が開始される。また、図８のステップＳ３０３でのメモリ部５へのダウンロード・データの保存開始と平行に図８のステップＳ３０４で制御部４の放送データ受信部４１の通信利用判定部４１２はダウンロード・データが別の通信を利用するか否かを判断するものである。別の通信を利用しないデータの場合には、図８のステップＳ３０５で放送コンテンツ・データのダウンロード受信が続行される。そしてダウンロード受信により放送コンテンツ・データを全てフラッシュ不揮発性メモリへ保存したならば、図８のステップＳ３０６で予約によるデータ・ダウンロード動作を終了する。別の通信を利用するデータと判断された場合には、図８のステップＳ３０７で制御部４はフラッシュ不揮発性メモリへ保存されたデータを破棄することによってダウンロード中断処理を実行して、図８のステップＳ３０６にて予約によるデータ・ダウンロード動作を終了するものである。従って、予約によるデータ・ダウンロード動作の場合には、ユーザーにダウンロード中断の判断を質問すること無しに予約での事前設定に従ってディジタル放送受信装置１００が予約データ・ダウンロード動作を実行することで、ユーザーの不要な判断と操作とを省略することができる。
【０１１４】
以上のように予約の事前設定に従ってディジタル放送受信装置１００が予約データ・ダウンロード動作を実行することで、ユーザーがどのようなデータをダウンロードしているか確認できない予約ダウンロード時においても、ユーザーの希望する予約事前設定条件に合致する放送コンテンツ・データのみを予約によって受信してダウンロードすることが可能となる。従って、ユーザーの希望する予約事前設定条件に合致しない放送コンテンツ・データの不必要なダウンロードを回避することができる。更に、ディジタル放送とは別の通信による通信料の支払いを好まないユーザーは、不必要なダウンロードを回避することができる。このように、携帯電話端末の消費電力の低減と、フラッシュ不揮発性メモリの記憶容量の節約と、ユーザーの使い勝手の向上が可能となる。
【０１１５】
≪ユーザーへのダウンロード完了通知≫
次に、図１１は、図４のデータ・ダウンロード設定動作において図４(Ｃ)の設定画面を利用して別の通信を利用する放送データのダウンロードの実行を選択して設定した後に図４(Ｄ)の設定画面を利用してデータのダウンロードの実行の完了後に放送局からユーザーへのダウンロード実行完了の通知を選択して設定した後に、ダウンロード実行完了時に実行されるユーザーへの通知動作を説明する図である。
【０１１６】
図１１のステップＳ４０１では放送データのダウンロードが完了すると、ディジタル放送受信装置１００の制御部４は、出力処理部４３と出力部６とを経由して、ユーザーへのデータ・ダウンロード完了の通知を開始する。
【０１１７】
次に、ステップＳ４０２にて、制御部４はダウンロード・データがディジタル放送とは別の通信を利用するデータか否かを判断する。放送データ受信部４１の通信利用判定部４１２はデータ・ダウンロードの間にデータのタイプを判断しているので、この判断から別の通信の利用の有無を判断することができる。
【０１１８】
ステップＳ４０２の判断でダウンロードしたデータが別の通信を利用しない場合には、制御部４はステップＳ４０７でダウンロード完了のみを通知する。この通知方法としては、出力部６の液晶表示画面にデータ・ダウンロード完了を示すアイコンを点滅表示するか、データ・ダウンロード完了の文字を点滅表示することもできる。
【０１１９】
ステップＳ４０２の判断でダウンロードしたデータが別の通信を利用するデータであった場合には、制御部４はステップＳ４０３にてダウンロード・データがすぐにユーザーに通知して欲しいタイプのデータかを判断する。
【０１２０】
図１２は、図１のディジタル放送受信装置１００によってダウンロード可能な種々のタイプの放送コンテンツ・データでユーザーがダウンロード完了後にすぐの通知を希望するものと希望しないものとが混在する様子を示す図である。
【０１２１】
図１２の例では、音楽データとチケットデータがダウンロード完了後にすぐの通知を希望するものとして選択されているが、チケットデータの場合には、チケットデータを有効にするために可能な限り早期に別の通信であるインターネット経由でサービス・サーバーと接続して登録作業を行う必要が有る。従って、チケットデータの場合には、ダウンロード完了後のユーザーへのすぐの通知が切望されるものである。そこで、ステップＳ４０３にて制御部４はダウンロード・データのタイプをデータタイプ判定部４１１で判断して、すぐの通知が希望されているタイプのデータの場合には、ステップＳ４０５でダウンロード完了後にすぐのユーザーへの通知を実行するものである。すぐのユーザーへの通知の方法としては、図１４(Ａ)に示すように出力部６に接続される液晶表示画面に表示する方法も考えられる。
【０１２２】
図１４は、図１１に示すダウンロード実行完了時のユーザーへの通知動作のステップＳ４０５のデータ・ダウンロード完了時のすぐのユーザーへの通知の方法を説明する図である。図１４(Ａ)は、ダウンロード・データがチケットデータの場合で、チケットデータを有効にするために別の通信であるインターネット経由でサービス・サーバーと接続するか否かのユーザーへの問い合わせを液晶表示画面に表示するものである。ユーザーは、図１４(Ａ)の液晶表示画面からサービス・サーバーとの接続の可否を選択して設定することができる。また、予約ダウンロード等の場合には、ユーザーが出力部６の液晶表示画面を見ていない場合もありえる。
【０１２３】
図１５は、ユーザーが出力部６の液晶表示画面を見ていない場合を想定して、予約によるデータ・ダウンロード完了時のすぐのユーザーへの通知の方法を説明する図である。
【０１２４】
図１５のステップＳ５０１でダウンロードされる放送コンテンツ・データがダウンロード完了後にすぐのユーザーへの通知を希望するものであるか否かが判定されて、通知を希望するものと判定された場合には、制御部４はステップＳ５０２にて予約ダウンロードか否かを判断する。予約ダウンロードで無い場合には、制御部４はステップＳ５０３にて出力部６の液晶表示画面でデータ・ダウンロードの完了通知を行うものである。予約ダウンロードの場合には、制御部４はステップＳ５０４にて出力部６のスピーカーまたはバイブレータなどによって予約ダウンロードの完了通知を行うものである。このようにして、ユーザーが画面を見ていない予約ダウンロードの完了時にも、すぐに通知して欲しいデータのタイプの予約ダウンロード完了を音声やバイブレータによりユーザーに認知させることができる。
【０１２５】
また、制御部４のデータタイプ判定部４１１は図１１のステップＳ４０３にてデータのタイプを判断して、特にユーザーに通知を急がないニュースや交通情報の場合等には、制御部４はステップＳ４０７にてダウンロード完了のみを通知する。この通知方法としては、出力部６の液晶表示画面にデータ・ダウンロード完了を示すアイコンを点滅表示するか、データ・ダウンロード完了の文字を点滅表示することもできる。
【０１２６】
図１１のステップＳ４０３でのデータのタイプの判断によりその他の音楽データや映像データ等のデータと判明した場合には、制御部４の通信利用判定部４１２はステップＳ４０４で通信先のサーバーの有効期限を確認する。例えば、通信先のサーバーの有効期限が３日以内の場合にはダウンロード完了後に、ステップＳ４０６ですぐにその旨をユーザーに通知するか、音声やバイブレータによってユーザーに認知させるものである。
【０１２７】
図１４(Ｂ)は、ダウンロード・データが別の通信であるインターネット経由でサービス・サーバーと接続する有効期限があるとの通知と、サービス・サーバーと接続するか否かのユーザーへの問い合わせを液晶表示画面に表示するものである。ユーザーは、図１４(Ｂ)の液晶表示画面からサービス・サーバーとの接続の可否を選択して設定することができる。
【０１２８】
ステップＳ４０４で通信先のサーバーの有効期限がないことが判明した場合には、制御部４はステップＳ４０７にてダウンロード完了のみを通知する。この通知方法としては、出力部６の液晶表示画面にデータ・ダウンロード完了を示すアイコンを点滅表示するか、データ・ダウンロード完了の文字を点滅表示することもできる。
【０１２９】
ステップＳ４０４で通信先の有効期限があることが判明した場合には、制御部４と保存処理部４２とは、メモリ部５にダウンロード・データと、データのタイプと、通信先のサービス・サーバーとの接続の有効期限日とをグルーピングして格納するものである。メモリ部５に格納されたダウンロード・データに関する通信先のサービス・サーバーとの接続の有効期限日の近くになったら、ステップＳ４０６にてユーザーに図１４(Ｂ)の液晶表示画面のように通知を行うものである。
【０１３０】
図１３は、図１に示すディジタル放送受信装置１００のメモリ部５にダウンロード・データと、データのタイプと、通信先のサービス・サーバーとの接続の有効期限日とをグルーピングして格納される様子を示す図である。
【０１３１】
《アプリケーションプロセッサを搭載した携帯電話》
図１６は、本発明の他の１つの実施の形態による半導体集積回路としてのアプリケーションプロセッサ３を搭載した携帯電話として構成されたディジタル放送受信装置１００の構成を示す図である。
【０１３２】
図１６の携帯電話１００は、携帯電話の機能を実現するために、アンテナ４、デュプレクサ５、ＲＦアナログ信号処理集積回路６、ＲＦ電力増幅器７、ベースバンドプロセッサ８、アプリケーションプロセッサ３を含んでいる。
【０１３３】
また、図１６の携帯電話１００は、放送局２００からのワンセグメント(いわゆるワンセグ)地上波ディジタル・テレビ放送やディジタルラジオのディジタル放送の視聴を可能とするために、ロッドアンテナ１ａ、イヤホーンケーブルに組み込みのアンテナ１ｂ、２個の放送チューナーモジュール２ａ、２ｂ、アプリケーションプロセッサ３を含んでいる。
【０１３４】
放送チューナーモジュール２ａ、２ｂは、地上波ディジタルのワンセグ放送とディジタルラジオとを受信するＩＳＤＢ−Ｔ受信チューナーモジュールである。尚、ＩＳＤＢ−Ｔは、Integrated Services Digital Broadcasting-Terrestrialの略である。
【０１３５】
更に、アプリケーションプロセッサ３に接続されたＬＣＤ表示装置１６とベースバンドプロセッサ８に接続されたオーディオ集積回路９とは、携帯電話の機能とワンセグ地上波ディジタル放送とディジタルラジオとの視聴を可能とするため使用される。アプリケーションプロセッサ３には操作キーや操作ボタンを有する操作デバイス１７が接続され、ユーザーが操作デバイス１７を操作することによって携帯電話による通話やワンセグ地上波デジ・テレビ放送やディジタルラジオの視聴および録画や録音が可能となる。
【０１３６】
アンテナ１ａ、１ｂは、テレビやラジオの放送波を受信するアンテナである。操作デバイス１７は、端末のキーボタン部分やキーボード、タッチパネル、音声で命令を入力する装置など、ユーザーの意向や指示を入力する際に用いられるものである。
【０１３７】
２個の放送チューナーモジュール２ａ、２ｂは、放送波のチューナーなどで、アンテナ１ａ、１ｂで受信した信号より放送データをそれぞれ取り出す処理を行う。
【０１３８】
地上ディジタル放送処理部３３は、トランスポートストリーム(ＴＳ)インターフェース３３１などで構成され、操作デバイス１７からの命令を処理する一方、放送チューナーモジュール２ａ、２ｂからの放送データを処理して同期型ダイナミックランダムアクセスメモリ(ＳＤＲＡＭ)１３のバッファに一時保存する。
【０１３９】
また、地上ディジタル放送処理部３３は、同期型ダイナミックランダムアクセスメモリ(ＳＤＲＡＭ)１３に一時保存されたデータを読み出して圧縮動画像デコーダ３３２やフラッシュメモリカード１５に供給する出力制御も実行する。このように、同期型ダイナミックランダムアクセスメモリ(ＳＤＲＡＭ)１３は、携帯電話１００で種々のマルチメディア処理の種々のデータを一時的に保持するワークメモリとして動作して、地上ディジタル放送処理部３３から入力された受信放送データの一時保存にも使用される。
【０１４０】
圧縮動画像デコーダ３３２は、映像デコードや音声デコードの処理を行い、地上ディジタル放送処理部３３からの放送データを処理して、映像や音声や文字などのデータに復号して音声インターフェース３３３とＬＣＤコントローラ３４へ出力する処理を行う。
【０１４１】
音声インターフェース３３３とＬＣＤコントローラ３４は、スピーカーやイヤホンなどの音声出力や、液晶表示装置やＬＥＤなどの表示出力等で、ユーザーへの通知や情報を提示する装置であり、圧縮動画像デコーダ３３２からの映像や音声や文字などをユーザーへ出力する処理を行う。
【０１４２】
フラッシュメモリカード１５は、拡張外部接続記憶装置であり、地上ディジタル放送処理部３３からの録画放送データ等を保存する処理を行う。
【０１４３】
特に、アプリケーションプロセッサ３の地上ディジタル放送処理部３３のＴＳインターフェース３３１は放送データ解析部３３１１を含んでいる。放送データ解析部３３１１は受信した放送トランスポートストリームデータの放送付加情報を解析することにより、ユーザーによるデータ・ダウンロード可能な放送コンテンツ・データの有無、放送コンテンツ・データのタイプ、別の通信の利用の有無、通信先のサーバーの有効期限などを判断する。
【０１４４】
従って、放送データ解析部３３１１による放送コンテンツ・データの解析・判断によって、図１から図１５で説明した本発明の種々の実施の形態と同様に、放送番組の視聴中のデータ・ダウンロードと、予約によるデータ・ダウンロードとが可能となる。ダウンロードされた放送コンテンツ・データは、暗号化されている場合には、暗号解除鍵によって解凍された後に、拡張外部接続記憶装置としてのフラッシュメモリカード１５に保存されることができる。
【０１４５】
このように、アプリケーションプロセッサ３の地上ディジタル放送処理部３３のＴＳインターフェース３３１に含まれた放送データ解析部３３１１は、図１に示すディジタル放送受信装置１００の制御部４の放送データ受信部４１のデータタイプ判定部４１１および通信利用判定部４１２と同一の動作機能を持つものである。
【０１４６】
《携帯電話の機能》
ユーザーが操作デバイス１７を操作することによって、携帯電話１００による通話が開始される。
【０１４７】
アンテナ４により受信された基地局からのＲＦ受信信号はデュプレクサ５を介して、ＲＦＩＣ６内部の受信信号処理部に供給される。ＲＦ受信信号はＲＦＩＣ６の受信信号処理部でアナログ受信ベースバンド信号にダウンコンバートされ、アナログ受信ベースバンド信号はＲＦＩＣ６内部のＡ／Ｄ変換器によりディジタル受信ベースバンド信号に変換される。
【０１４８】
ＲＦＩＣ６のＡ／Ｄ変換器から供給されるディジタル受信ベースバンド信号はベースバンドプロセッサ８で復調信号処理を受け、Ｄ／Ａ変換器８２によるＤ／Ａ変換によって受信音声出力信号が生成される。受信音声出力信号は、オーディオＩＣ９で増幅された後、スピーカー１０に供給される。
【０１４９】
また、アンテナ４によって受信された基地局からのＲＦ受信信号がデータ・ダウンロードされた暗号化された放送コンテンツ・データの解凍の暗号解除鍵の場合には、ＲＦＩＣ６内部のＡ／Ｄ変換器によりディジタル信号に変換された暗号解除鍵はアプリケーションプロセッサ３の地上ディジタル放送処理部３３に供給されて、地上ディジタル放送処理部３３で暗号化放送コンテンツ・データの暗号解凍が実行される。従って、図１６においてアンテナ４、デュプレクサ５、ＲＦＩＣ６等によって構成された携帯電話は、図１に示すディジタル放送受信装置１００においてディジタル放送とは別の通信でネットワーク３００およびサーバー４００と送受信を行う送受信部７と同一の動作機能を持つものである。
【０１５０】
一方、マイクロフォン１１の送信音声入力信号はオーディオＩＣ９で増幅された後、ベースバンドプロセッサ８のＡ／Ｄ変換器８３によるＡ／Ｄ変換によってディジタル信号に変換され更にベースバンドプロセッサ８の変調信号処理を受け、ディジタル送信ベースバンド信号に変換される。
【０１５１】
このディジタル送信ベースバンド信号は、ＲＦＩＣ６のＤ／Ａ変換器によるＤ／Ａ変換によってアナログ送信ベースバンド信号に変換され、アナログ送信ベースバンド信号はＲＦＩＣ６の受信信号処理部でＲＦ送信信号にアップコンバートされる。ＲＦ送信信号はＲＦ電力増幅器７で増幅された後、デュプレクサ５とアンテナ４とを介して基地局に送信される。
【０１５２】
放送チューナーモジュール２ａ、２ｂと、ベースバンドプロセッサ８と、オーディオＩＣ９とには、本発明の１つの実施の形態による半導体集積回路としてのアプリケーションプロセッサ３が接続されている。
【０１５３】
《アプリケーションプロセッサの構成》
アプリケーションプロセッサ３は、中央処理ユニット(ＣＰＵ)３１、外部メモリインターフェースユニット３２、地上ディジタル放送処理部３３、ＬＣＤコントローラ３４により構成されている。
【０１５４】
ＣＰＵ３１は、ＣＰＵコア３１１、命令キャッシュメモリ３１２、データキャッシュメモリ３１３、内蔵ＲＡＭ３１４を含んでいる。
【０１５５】
外部メモリインターフェースユニット３２は、第１外部不揮発性半導体記憶装置１２としてのフラッシュメモリに接続される第１外部メモリインターフェース３２２、第１外部揮発性記憶装置１３としての同期型ダイナミックランダムアクセスメモリに接続される第２外部メモリインターフェース３２３を含んでいる。
【０１５６】
フラッシュメモリ１２にはモバイル端末としての携帯電話１００の基本的な動作のためのオペレーティングシステム(ＯＳ)のソフトウェアが格納可能であり、ＳＤＲＡＭ１３には携帯電話１００の動作中および地上ディジタル放送の視聴動作もしくは録画・録音の動作に関連する種々のデータが格納可能である。
【０１５７】
外部メモリインターフェースユニット３２は、更に第２外部不揮発性半導体記憶装置１４としてのフラッシュメモリに接続される第３外部メモリインターフェース３２４、拡張外部不揮発性半導体記憶装置１５としてのモバイル端末としての携帯電話に挿入接続されるフラッシュメモリカードに接続される拡張外部メモリインターフェース３２５を含んでいる。
【０１５８】
フラッシュメモリ１４には、フラッシュメモリ１２に格納されたＯＳ上に構築可能な携帯電話１００およびワンセグ地上波ディジタル放送受信機やディジタルラジオ放送受信機の種々のアプリケーションプログラムのソフトウェアが、格納可能である。フラッシュメモリカード１５には、携帯電話およびワンセグ地上波ディジタル放送とディジタルラジオとの受信機の動作に関連してユーザーが不揮発記憶を指定して不揮発記憶する種々のデータおよびコンテンツが、格納可能である。
【０１５９】
地上ディジタル放送処理部３３は、トランスポートストリーム入力インターフェース３３１、ＭＰＥＧ４／Ｈ．２６４圧縮動画像デコーダ３３２、音声インターフェース３３３により構成されている。また、トランスポートストリーム入力インターフェース３３１は、２個のディジタル放送チューナーモジュール２ａ、２ｂのいずれか一方から供給されるトランスポートストリームのデータ(以下、ディジタル放送ＴＳデータと言う)を解析する放送データ解析部３３１１を含む。放送データ解析部３３１１の動作機能は、上記にて説明した通りである。
【０１６０】
《アプリケーションプロセッサによるマルチメディア処理》
放送局２００から送信されてくるワンセグ地上波デジ・放送やディジタルラジオのディジタル放送ＴＳデータは、データ圧縮方式としてＭＰＥＧ4またはＭＰＥＧ２の規格を用いたシステムで、映像・音声・文字や放送関連データなどを含み、種々の異なるタイプのデータがディジタル放送ＴＳデータとして多重化されている。
【０１６１】
図１６の放送局２００からの放送波はアンテナ１ａ、１ｂにより受信され、放送チューナーモジュール２ａ、２ｂで選局した番組のデータは、番組の映像や音声と伴に、文字やデータなど様々な情報を含んでいる。
【０１６２】
放送の受信が開始されるとＣＰＵ３１は、まず放送チューナーモジュール２ａ、２ｂからのディジタル放送ＴＳデータを地上ディジタル放送処理部３３と外部メモリインターフェース３２とを介して同期型ダイナミックランダムアクセスメモリ(ＳＤＲＡＭ)１３に一時的に保存する。
【０１６３】
《マルチメディア処理の番組視聴》
番組の視聴を行う場合も、ＣＰＵ３１からの指示に応答して地上ディジタル放送処理部３３は、同期型ダイナミックランダムアクセスメモリ(ＳＤＲＡＭ)１３に格納されたディジタル放送ＴＳデータを順次読み出して圧縮動画像デコーダ３３２に供給する。圧縮動画像デコーダ３３２で音声と映像のデコード処理が実行され、タイミングが同期された音声信号と映像信号とが音声インターフェース３３３とＬＣＤコントローラ３４とへそれぞれ供給されて、番組の視聴が可能となる。
【０１６４】
《マルチメディア処理の番組録画》
番組の録画を行う場合には、ＣＰＵ３１はまず最初に、受信しているディジタル放送波の情報ビットレートに従って番組録画に必要なバッファメモリ容量を計算する。高品位のディジタル放送番組は高い情報ビットレートを持つので、録画・再生時の音声と映像の解像度を受信時と同等に維持するためには、必要なバッファメモリ容量のサイズは大きくなる。
【０１６５】
必要なバッファメモリ容量の計算の後、ＣＰＵ３１からの指示に応答して地上ディジタル放送処理部３３は、同期型ダイナミックランダムアクセスメモリ(ＳＤＲＡＭ)１３に番組録画に必要なバッファメモリ容量を持つ番組録画用バッファ領域を確保する。
【０１６６】
番組録画の開始により、ＣＰＵ３１からの指示に応答して地上ディジタル放送処理部３３は、ＳＤＲＡＭ１３で事前に確保された番組録画用バッファ領域に放送チューナーモジュールからのディジタル放送ＴＳデータを一時的に保存する。
【０１６７】
次に、ＣＰＵ３１からの指示に応答して地上ディジタル放送処理部３３は、同期型ダイナミックランダムアクセスメモリ(ＳＤＲＡＭ)１３の番組録画用バッファ領域に格納されたディジタル放送ＴＳデータを順次読み出しフラッシュメモリカード１５へ供給する。フラッシュメモリカード１５へ供給されたディジタル放送ＴＳデータは、カード１５内部のフラッシュメモリデバイスの内部書込タイミングと内部書き込み速度とでメモリデバイスに不揮発記憶されて、番組の録画が可能となる。
【０１６８】
アプリケーションプロセッサ３の地上ディジタル放送処理部３３のＴＳインターフェース３３１は放送データ解析部３３１１による放送コンテンツ・データの解析・判断によって放送番組の視聴中のデータ・ダウンロードと予約によるデータ・ダウンロードとが可能となることは上記にて説明した通りである。
【０１６９】
また、アンテナ４、デュプレクサ５、ＲＦＩＣ６等によって構成された携帯電話によって受信されてディジタル信号に変換された暗号解除鍵は、アプリケーションプロセッサ３の地上ディジタル放送処理部３３に供給される。従って、ＣＰＵ３１からの指示に応答して地上ディジタル放送処理部３３は、ＳＤＲＡＭ１３の番組録画用バッファ領域に格納されたディジタル放送ＴＳデータを順次読み出しフラッシュメモリカード１５へ供給する前に暗号解除鍵を利用して暗号化放送コンテンツ・データの暗号解凍を実行するものである。
【０１７０】
以上、本発明者によってなされた発明を実施の形態に基づいて具体的に説明したが、本発明はそれに限定されるものではなく、その要旨を逸脱しない範囲で種々変更可能なことは言うもでもない。
【０１７１】
例えば、本発明は、携帯電話以外にも地上波ディジタル・テレビジョンやディジタル・ラジオを受信可能なＰＣ、ＰＤＡ等や、同様な放送を受信できる家庭のセットトップボックス、ビデオデッキやコンポ等の音楽プレーヤーやラジオなどの受信システム、ナビゲーションシステム等の車載ＡＶ端末にも適用することができる。尚、ＰＣはPersonal Computerの略、ＰＤＡはPersonal Digital Assistantsの略である。
【図面の簡単な説明】
【０１７２】
【図１】図１は、本発明の実施の形態による携帯電話端末に搭載可能で地上波ディジタルテレビジョン放送やディジタルラジオ放送を受信可能なディジタル放送受信装置の構成の示す図である。
【図２】図２は、図１に示すディジタル放送受信装置によって受信される地上波ディジタルテレビジョン放送やディジタルラジオ放送等の映像信号および音声信号と種々の異なるタイプのデータ多重化された放送トランスポート・ストリームのデータの構成を示す図である。
【図３】図３は、図１に示すディジタル放送受信装置を使用することにより、放送局からの放送波に含まれるデータをダウンロードする一方、ディジタル放送とは別の通信であるインターネットもしくは公衆回線を介してネットワークおよびサービス提供サーバーと接続する様子を説明する図である。
【図４】図４は、図１に示すディジタル放送受信装置でユーザーの操作によって実行されるデータ・ダウンロード設定動作を説明する図である。
【図５】図５は、図４に示すデータ・ダウンロードを可能とする放送局からの放送データの構成を示す図である。
【図６】図６は、図５に示した放送局からの放送データにおいてデータ・ダウンロードを制御する制御情報の構成を示す図である。
【図７】図７は、図１に示すディジタル放送受信装置を利用して、ユーザーによる放送番組の視聴中に放送局から伝送される放送コンテンツ・データをバックグラウンドで受信してダウンロードする動作を説明するための図である。
【図８】図８は、図１に示すディジタル放送受信装置を利用して、放送局から伝送される放送コンテンツ・データを予約によって受信してダウンロードする動作を説明するための図である。
【図９】図９は、ダウンロードが可能なデータが放送番組に含まれている場合に、図１に示すディジタル放送受信装置の出力部の液晶表示画面に表示されるユーザーへの通知表示画面の構成を示す図である。
【図１０】図１０は、ユーザーによるダウンロードを可能とする放送付加情報として図５の一番下にダウンロードデータの識別番号、データのタイプ、別の通信の利用の有無と伴に、サービス提供サーバーのインターネットの統一資源位置指定子ＵＲＬと通信先の有効期限等とが含まれることを示す図である。
【図１１】図１１は、図４のデータ・ダウンロード設定動作において図４(Ｃ)の設定画面を利用して別の通信を利用する放送データのダウンロードの実行を選択して設定した後に図４(Ｄ)の設定画面を利用してデータのダウンロードの実行の完了後に放送局からユーザーへのダウンロード実行完了の通知を選択して設定した後に、ダウンロード実行完了時に実行されるユーザーへの通知動作を説明する図である。
【図１２】図１２は、図１のディジタル放送受信装置によってダウンロード可能な種々のタイプの放送コンテンツ・データでユーザーがダウンロード完了後にすぐの通知を希望するものと希望しないものとが混在する様子を示す図である。
【図１３】図１３は、図１に示すディジタル放送受信装置１００のメモリ部５にダウンロード・データと、データのタイプと、通信先のサービス・サーバーとの接続の有効期限日とをグルーピングして格納される様子を示す図である。
【図１４】図１４は、図１１に示すダウンロード実行完了時のユーザーへの通知動作のステップＳ４０５のデータ・ダウンロード完了時のすぐのユーザーへの通知の方法を説明する図である。
【図１５】図１５は、ユーザーが出力部の液晶表示画面を見ていない場合を想定して、予約によるデータ・ダウンロード完了時のすぐのユーザーへの通知の方法を説明する図である。
【図１６】図１６は、本発明の他の１つの実施の形態による半導体集積回路としてのアプリケーションプロセッサを搭載した携帯電話として構成されたディジタル放送受信装置の構成を示す図である。
【符号の説明】
【０１７３】
１００  ディジタル放送受信装置
２００  放送局
３００  ネットワーク
４００  サーバー
５００  基地局
１  アンテナ
２  操作部
３  受信部
４  制御部
４１  放送データ受信部
４２  保存処理部
４３  出力処理部
４４  設定部
４１１  データタイプ判定部
４１２  通信利用判定部
５  メモリ部
６  出力部
７  送受信部
３１  中央処理ユニット(ＣＰＵ)
３２  外部メモリインターフェースユニット
３３  地上ディジタル放送処理部
３４  ＬＣＤコントローラ
３３１  トランスポートストリーム入力インターフェース
３３１１  放送データ解析部
３３２  圧縮動画像デコーダ
３３３  音声インターフェース
【図１】
2010028257.tif 000003
【図２】
2010028257.tif 000004
【図３】
2010028257.tif 000005
【図４】
2010028257.tif 000006
【図５】
2010028257.tif 000007
【図６】
2010028257.tif 000008
【図７】
2010028257.tif 000009
【図８】
2010028257.tif 000010
【図９】
2010028257.tif 000011
【図１０】
2010028257.tif 000012
【図１１】
2010028257.tif 000013
【図１２】
2010028257.tif 000014
【図１３】
2010028257.tif 000015
【図１４】
2010028257.tif 000016
【図１５】
2010028257.tif 000017
【図１６】
2010028257.tif 000018